(57)【要約】  【課題】  冷却ファンを有する冷却手段に発生する熱歪を低減して、冷却手段の耐久性を向上するファン回転数制御方法を提供する。  【解決手段】  被冷却流体の温度を検出し、レバー操作時のように冷却手段を通過する被冷却流体の流量が多いときは、被冷却流体の検出温度が予め設定した目標温度となるように冷却手段の冷却ファンのファン回転数をファン目標回転数Ｎtfに制御する。レバー中立時のＡＥＣ状態またはワンタッチローアイドル状態では、冷却手段を通過する被冷却流体の流量が減少するので、冷却ファンのファン回転数を、ファン目標回転数Ｎtfより減少した新ファン目標回転数Ｎtfnewに制御する。このとき、レバー操作時のエンジン回転数Ｎhieに対するレバー中立時のエンジン回転数Ｎcoeの比率を、その時点でのファン目標回転数Ｎtfに掛け合わせることでレバー中立時の新ファン目標回転数Ｎtfnewを算出する。  【選択図】図１
2005083344.tif 000002
【特許請求の範囲】
【請求項１】
被冷却流体の温度を検出し、
被冷却流体を冷却する冷却ファンを有する冷却手段を通過する被冷却流体の流量が多いときは、検出温度が予め設定された目標温度となるように冷却手段の冷却ファンのファン回転数をファン目標回転数に制御し、
被冷却流体が冷却手段を通過する流量が減少したときは、冷却ファンのファン回転数を、ファン目標回転数より減少した新ファン目標回転数に制御する
ことを特徴とするファン回転数制御方法。
【請求項２】
油圧回路における作動油の温度を検出し、
作動油を油圧アクチュエータに供給するレバー操作時は、検出温度が予め設定された目標温度となるように油圧アクチュエータからの戻り油を冷却ファンで冷却するオイルクーラのファン回転数をファン目標回転数に制御し、
作動油の油圧アクチュエータへの供給を停止するレバー中立時は、冷却ファンのファン回転数を、ファン目標回転数より減少した新ファン目標回転数に制御する
ことを特徴とするファン回転数制御方法。
【請求項３】
レバー中立時に油圧回路のポンプ駆動用エンジンのエンジン回転数をレバー操作時より低下させる場合は、レバー操作時のエンジン回転数に対するレバー中立時のエンジン回転数の比率を、その時点でのファン目標回転数に掛け合わせることで、レバー中立時の新ファン目標回転数を算出する
ことを特徴とする請求項２記載のファン回転数制御方法。
【発明の詳細な説明】
【技術分野】
【０００１】
本発明は、冷却手段の冷却ファンのファン回転速度（以下、回転速度すなわち単位時間当りの回転数を、単に「回転数」という）を制御するファン回転数制御方法に関するものである。
【背景技術】
【０００２】
ポンプ駆動用エンジンは、油圧ショベルの作業機系や旋回系を駆動する作業用のメインポンプと、ファン用ポンプとを備えている。ファン用ポンプは、電油変換弁によりポンプ吐出流量を可変制御することで、インテークエアクーラ、オイルクーラおよびラジエータに対して設置された冷却ファンを駆動するファン用モータの回転数を制御し、冷却ファンのファン回転数を制御する。電油変換弁はコントローラにより制御する。冷却ファンが冷却したインテークエア、作動油およびクーラントの各温度をそれぞれ温度検出センサにより検出する。コントローラは、各々の検出温度が予め設定した目標温度となるようにファン用ポンプの吐出流量を制御して冷却ファンのファン回転数を制御する（例えば、特許文献１参照）。
【特許文献１】特許第３２９５６５０号公報（第４−６頁、図１−３）  そして、油圧ショベルにおける油圧アクチュエータを作動させないレバー中立時は、エンジン回転数を所定の低速回転数に自動的に下げるエンジン回転数自動制御システム（以下、ＡＥＣと呼ぶ）が作動したＡＥＣ状態、またはオペレータがワンタッチローアイドルスイッチを操作してエンジン回転数を所定の低速回転数に減速したワンタッチローアイドル状態では、エンジン回転数が作業時よりも減少するが、上記コントローラは、作動油などの検出温度を予め設定された目標温度となるようにファン用ポンプの吐出流量を制御して、冷却ファンのファン回転数を制御するので、エンジン回転数が減少してもファン回転数はほとんど落ちない。つまり、冷却風量がほとんど減少しない。
【発明の開示】
【発明が解決しようとする課題】
【０００３】
すなわち、コントローラは、作動油などの検出温度が予め設定した目標温度となるようにファン用ポンプの吐出流量を制御して冷却ファンのファン回転数を制御するので、作動油などの検出温度が高いときは、冷却ファンのファン回転数を高速回転に制御する。
【０００４】
一方、高負荷での作業中に、レバーを中立位置に戻した時は、ＡＥＣ制御またはワンタッチローアイドル制御によりエンジン回転数が減少するとともに、油圧アクチュエータに作動油を供給する可変容量型ポンプの吐出流量が減少するようにポンプ斜板などの容量可変手段を制御するので、油圧アクチュエータに供給される作動油の流量が急激に減少するとともに、油圧アクチュエータからオイルクーラを経てタンクに戻される戻り油の流量も急激に減少する。
【０００５】
その結果、高温作動油に対応して高速回転制御された冷却ファンによりオイルクーラ内の作動油が急冷されて熱歪が発生し、オイルクーラが破損するという不具合が発生する。
【０００６】
本発明は、このような点に鑑みなされたもので、冷却ファンを有する冷却手段に発生する熱歪を低減して、冷却手段の耐久性を向上するファン回転数制御方法を提供することを目的とするものである。
【課題を解決するための手段】
【０００７】
請求項１記載の発明は、被冷却流体の温度を検出し、被冷却流体を冷却する冷却ファンを有する冷却手段を通過する被冷却流体の流量が多いときは、検出温度が予め設定された目標温度となるように冷却手段の冷却ファンのファン回転数をファン目標回転数に制御し、被冷却流体が冷却手段を通過する流量が減少したときは、冷却ファンのファン回転数を、ファン目標回転数より減少した新ファン目標回転数に制御するファン回転数制御方法であり、冷却手段を通過する被冷却流体の流量が減少したときは、冷却ファンのファン回転数を、ファン目標回転数より減少した新ファン目標回転数に制御することで、冷却手段内の流量減少した被冷却流体が急冷されることを防止して、冷却手段での熱歪の発生を抑制するので、冷却手段の耐久性が向上する。
【０００８】
請求項２記載の発明は、油圧回路における作動油の温度を検出し、作動油を油圧アクチュエータに供給するレバー操作時は、検出温度が予め設定された目標温度となるように油圧アクチュエータからの戻り油を冷却ファンで冷却するオイルクーラのファン回転数をファン目標回転数に制御し、作動油の油圧アクチュエータへの供給を停止するレバー中立時は、冷却ファンのファン回転数を、ファン目標回転数より減少した新ファン目標回転数に制御するファン回転数制御方法であり、レバー中立時の新ファン目標回転数が低減され、レバー中立操作で流量減少したオイルクーラ内の作動油が急冷されることを防止して、オイルクーラの熱歪の発生を抑制することで、オイルクーラの耐久性が向上する。
【０００９】
請求項３記載の発明は、請求項２記載のファン回転数制御方法において、レバー中立時に油圧回路のポンプ駆動用エンジンのエンジン回転数をレバー操作時より低下させる場合は、レバー操作時のエンジン回転数に対するレバー中立時のエンジン回転数の比率を、その時点でのファン目標回転数に掛け合わせることで、レバー中立時の新ファン目標回転数を算出する方法であり、レバー中立時は、レバー操作時のエンジン回転数に対するレバー中立時のエンジン回転数の比率でファン目標回転数を減少させて、レバー中立時の新ファン目標回転数を算出したので、ファン回転数が必要以上に減少することなく、最適なファン回転数の減少となる。
【発明の効果】
【００１０】
請求項１記載の発明によれば、冷却手段を通過する被冷却流体の流量が減少したときは、冷却ファンのファン回転数を、ファン目標回転数より減少した新ファン目標回転数に制御することで、冷却手段内の流量減少した被冷却流体が急冷されることを防止でき、冷却手段での熱歪の発生を抑制できるので、冷却手段の耐久性を向上できる。
【００１１】
請求項２記載の発明によれば、レバー中立時の新ファン目標回転数が低減され、レバー中立操作で流量減少したオイルクーラ内の作動油が急冷されることを防止でき、オイルクーラの熱歪の発生を抑制できるので、オイルクーラの耐久性を向上できる。
【００１２】
請求項３記載の発明によれば、レバー中立時は、レバー操作時のエンジン回転数に対するレバー中立時のエンジン回転数の比率でファン目標回転数を減少させて、レバー中立時の新ファン目標回転数を算出したので、ファン回転数を必要以上に減少させることなく、最適なファン回転数の減少が得られる。
【発明を実施するための最良の形態】
【００１３】
図１乃至図６を参照しながら、本発明の一実施の形態を説明する。
【００１４】
図５は、作業機械または建設機械としての油圧ショベルを示し、下部走行体１に上部旋回体２が旋回可能に設けられ、この上部旋回体２に、ポンプ駆動用エンジンおよびこのエンジンにより駆動される油圧ポンプなどの動力装置部３、油圧ポンプを油圧源とする油圧回路を制御するコントロール弁ユニット（図示せず）、オペレータの運転空間を覆うキャブ４、作業装置５などが搭載されている。
【００１５】
作業装置５は、油圧アクチュエータとしてのブーム用油圧シリンダ５bmcにより回動されるブーム５bmの先端部に、油圧アクチュエータとしてのアーム用油圧シリンダ５amcにより回動されるアーム５amが軸支され、アーム５amの先端部に油圧アクチュエータとしてのバケット用油圧シリンダ５bkcによりバケットリンケージ５blを介し回動されるバケット５bkが軸支されている。
【００１６】
図６は、前記キャブ４の内部を示し、座席６の左右両側に作業用の操作レバー７L，７Rが設けられ、その一側の操作レバー７Rの上端部に、ワンタッチ操作でポンプ駆動用エンジンの回転速度をローアイドル状態まで落すワンタッチローアイドルスイッチ８が設けられている。前側には、入力機能も有する表示装置としてのモニタ９が配置されている。
【００１７】
図２は、ファン回転数制御装置の概要を示し、油圧ショベルなどの建設機械の車両に搭載されたポンプ駆動用エンジン（以下、単に「エンジン」という）11は、作動油を圧送供給する作業用のメインポンプ12と、ファン用ポンプ13とを備え、これらのメインポンプ12およびファン用ポンプ13を共に駆動する。
【００１８】
メインポンプ12は、上記車両に装備された走行系の油圧モータ、上部旋回体２を旋回する旋回用油圧モータ５sw、作業機系のブーム用油圧シリンダ５bmc、アーム用油圧シリンダ５amc、バケット用油圧シリンダ５bkcなどの各油圧アクチュエータに作動流体としての作動油を供給する。
【００１９】
ファン用ポンプ13は、管路14に吐出した作動流体としての作動油によりファン用モータ15を作動する。このファン用モータ15は、その回転軸16に冷却ファン17を一体に装備し、この冷却ファン17を回動する。
【００２０】
ファン用ポンプ13は、入力信号を電気信号とし出力信号を油圧信号とした電油変換弁18を備え、この電油変換弁18から出力された油圧信号によりファン用ポンプ13のポンプ吐出流量を可変制御して、ファン用モータ15の回転数を可変制御できる可変容量型ポンプである。
【００２１】
メインポンプ12は、入力信号を電気信号とし出力信号を油圧信号とした電油変換弁19を備え、この電油変換弁19から出力された油圧信号によりメインポンプ12からコントロール弁20に供給される作動油のポンプ吐出流量を可変制御できる可変容量型ポンプである。
【００２２】
コントロール弁20は、左右の操作レバー７L，７Rまたは図示されない足踏みペダルで操作されるパイロット弁7L1〜4，7R1〜4からのパイロット圧油によりパイロット操作される複数のスプールを有し、メインポンプ12からこれらの各スプールを経て各油圧アクチュエータに供給される作動油を方向制御および流量制御する。
【００２３】
冷却ファン17は、冷却手段30の一部であり、この冷却手段30は、共通の冷却ファン17と対向する位置に、インテークエアクーラ21、オイルクーラ22およびラジエータ23が順次配置され、インテークエアクーラ21にはインテークエア配管24が、オイルクーラ22には作動油配管25が、ラジエータ23にはクーラント配管26が、それぞれ配設されている。
【００２４】
作動油配管25は、各油圧アクチュエータからコントロール弁20を経てタンクに作動油を戻す配管であり、その戻り油をオイルクーラ22により冷却する。
【００２５】
インテークエア配管24には被冷却流体としてのインテークエアの温度を検出するインテークエア温度検出センサ27が、作動油配管25には被冷却流体としての油圧回路の作動油の温度を検出する作動油温度検出センサ28が、クーラント配管26には被冷却流体としてのクーラント（冷却水）の温度を検出するクーラント温度検出センサ29が、それぞれ設けられ、これらの温度検出センサ27，28，29は、それぞれの入力信号ライン31，32，33を経てコントローラ34の信号入力部に接続されている。
【００２６】
また、このコントローラ34の信号出力部は、作動信号ライン35a，35bを経て前記電油変換弁18，19の信号入力部に接続されている。
【００２７】
さらに、コントローラ34で処理された信号は、信号ライン35cを経てエンジン11に設けられたアクセルアクチェータ11aに作動信号として出力され、このアクセルアクチェータ11aの実際の作動量は位置センサ11bにより検出されて、また、エンジン回転数は回転数センサ11cにより検出されて、信号ライン35d，35eを経てそれぞれコントローラ34にフィードバックされる。
【００２８】
さらに、エンジン11の回転速度（以下、エンジン11の回転速度を「エンジン回転数」という）を制御するコントローラ34に、オペレータのワンタッチ操作でエンジン回転数をローアイドル状態まで落すワンタッチローアイドルシステムを始動するための前記ワンタッチローアイドルスイッチ８、レバー中立時にエンジン回転数を所定の低速回転数に自動的に下げるエンジン回転数自動制御システム（以下、ＡＥＣと呼ぶ）を始動するためのＡＥＣスイッチ36aec、エンジン回転数を設定するためのアクセルダイヤル36acc、操作レバー７L，７Ｒが中立位置にある状態と操作位置にある状態とを直接または油圧回路の圧力変化を介して識別するレバー作動検知スイッチ36levなどが接続されている。
【００２９】
ＡＥＣとは、操作レバー７L，７Ｒが中立時に、燃料の節約、騒音および振動の低下を目的として、自動的にエンジン回転数を下げるシステムであり、ＡＥＣ第１段とＡＥＣ第２段の２種類あり、スイッチパネルのＡＥＣスイッチ36aecにより切り替えができ、ＡＥＣ第１段ではエンジン回転数を無負荷回転数から例えば約100rpm減速し、ＡＥＣ第２段ではエンジン回転数を所望回転数、例えば1300rpmまで減速する。
【００３０】
このＡＥＣ動作中に操作レバー７L，７Ｒが操作されると、エンジン回転数は自動的にアクセルダイヤル36accで設定された設定回転数に復帰する。
【００３１】
また、ワンタッチローアイドルとは、操作レバー７L，７Ｒが中立時に、例えば右レバー７Ｒの上部にあるワンタッチローアイドルスイッチ８を押すことにより、オペレータの意図でエンジン回転数を所定の低速回転数、例えば1100rpmに減速して、燃料の節約、騒音および振動の低下を図るシステムである。
【００３２】
このワンタッチローアイドル動作中に再度ワンタッチローアイドルスイッチ８を押すと、また、操作レバー７L，７Ｒを操作すると、アクセルダイヤル36accで設定された元のエンジン回転数に復帰する。
【００３３】
そして、このコントローラ34は、各温度検出センサ27，28，29により検出された温度情報信号を演算処理し、このコントローラ34からの出力信号により、電油変換弁18を介しファン用ポンプ13のポンプ吐出流量を可変制御することで、ファン用モータ15の回転数を可変制御し、温度検出センサ27，28，29により検出されたインテークエア、作動油およびクーラントの各被冷却流体の検出温度が予め設定された目標温度に到達するように冷却ファン17のファン回転数を可変制御し、各被冷却流体がオーバヒートしないように適切に冷却する。
【００３４】
次に、コントローラ34は、図３に示されるように、各々の被冷却流体の検出温度に応じてファン回転数を可変制御するアルゴリズムを有する。
【００３５】
この図３において、予め設定されたインテークエア目標温度Ｔti、インテークエア温度検出センサ27により検出されたインテークエア検出温度Ｔmi、予め設定された作動油目標温度Ｔto、作動油温度検出センサ28により検出された作動油検出温度Ｔmo、予め設定されたクーラント目標温度Ｔtc、クーラント温度検出センサ29により検出されたクーラント検出温度Ｔmcの各信号は、それぞれの比例積分制御器（以下、これらの比例積分制御器を「ＰＩ制御器37，38，39」という）に入力される。
【００３６】
これらのＰＩ制御器37，38，39は、インテークエア、作動油およびクーラントの各被冷却流体の発熱量および周囲温度に応じて整定される複数のファン目標回転数を被冷却流体ごとにそれぞれ決定するもので、これらのＰＩ制御器37，38，39から出力されたインテークエア用ファン目標回転数Ｎti、作動油用ファン目標回転数Ｎtoおよびクーラント用ファン目標回転数Ｎtcの各信号は、それぞれ飽和特性を有するリミッタ42，43，44により上限および下限を設定される。
【００３７】
これらのリミッタ42，43，44を経たインテークエア用ファン目標回転数Ｎti´、作動油用ファン目標回転数Ｎto´およびクーラント用ファン目標回転数Ｎtc´は、総合目標回転数決定器45に入力され、この総合目標回転数決定器45により、複数のファン目標回転数Ｎti´，Ｎto´，Ｎtc´から一つの総合目標回転数Ｎttを演算して決定する。
【００３８】
例えば、この総合目標回転数決定器45は、それぞれの被冷却流体のファン目標回転数Ｎti´，Ｎto´，Ｎtc´を二乗し、それらを加算し、その平方根を求めることにより総合目標回転数Ｎttを演算する。すなわち、
Ｎtt＝｛Σ（被冷却流体ｎのファン目標回転数）２｝１／２
または、Ｎtt＝｛（Ｎti´）２＋（Ｎto´）２＋（Ｎtc´）２｝１／２となる。
【００３９】
この総合目標回転数Ｎttは、さらに飽和特性により下限および上限を設定するリミッタ46を経て、最終的なファン目標回転数Ｎtfとなる。
【００４０】
さらに、コントローラ34は、冷却ファン17を共通に有する冷却手段30（すなわちインテークエアクーラ21、オイルクーラ22およびラジエータ23）を通過する被冷却流体（インテークエア、作動油、クーラント）の流量が多いときは、検出温度が予め設定された目標温度となるように冷却手段30の冷却ファン17のファン回転数をファン目標回転数Ｎtfに制御し、一方、被冷却流体が冷却手段30を通過する流量が減少したときは、冷却ファン17のファン回転数を、ファン目標回転数Ｎtfより減少した新ファン目標回転数Ｎtfnewに制御するようにプログラムされている。
【００４１】
冷却手段30を通過する被冷却流体の流量の多少は、レバー作動検知スイッチ36levにより検知する。すなわち、レバー作動検知スイッチ36levにより操作レバー７L，７Rの作動状態が検出されたときは、冷却手段30を通過する被冷却流体の流量が多いと判断し、操作レバー７L，７Rの中立状態が検出されたときは、冷却手段30を通過する被冷却流体の流量が少ないと判断する。
【００４２】
そして、コントローラ34は、レバー中立時にエンジン11のエンジン回転数をレバー操作時より低下させる指令を出力する場合は、レバー操作時のエンジン回転数Ｎhieに対するレバー中立時のエンジン回転数Ｎcoeの比率（Ｎcoe／Ｎhie）を、その時点でのファン目標回転数Ｎtfに掛け合わせることで、レバー中立時の新ファン目標回転数Ｎtfnewを算出する。
【００４３】
図４には、前記作動油温度に関するＰＩ制御器38の詳細が示されている。
【００４４】
この図４において、作動油目標温度Ｔtoおよび作動油検出温度Ｔmoは、それらの誤差を演算するための比較器51に導かれ、この比較器51から出力された誤差信号にゲイン52が乗算された後に、下限および上限を設定する飽和特性を有するリミッタ53により制限処理された信号値と、上記誤差信号にゲイン54が乗算され、積分器55により積分処理され、さらにリミッタ56により制限処理された信号値と、予期されたファン回転数Ｎefとが、加算器57にて加算されることにより、前記作動油用ファン目標回転数Ｎtoが決定される。
【００４５】
さらに、作動油をブーム用油圧シリンダ５bmcなどの油圧アクチュエータに供給するレバー操作時は、作動油検出温度Ｔmoが予め設定された作動油目標温度Ｔtoとなるように油圧アクチュエータからの戻り油を冷却ファン17で冷却するオイルクーラ22のファン回転数を作動油用ファン目標回転数Ｎtoに制御し、また、作動油の油圧アクチュエータへの供給を停止するレバー中立時は、冷却ファン17のファン回転数を、作動油用ファン目標回転数Ｎtoより減少した新ファン目標回転数Ｎtonewに制御するようにプログラムされている。
【００４６】
そして、コントローラ34は、レバー中立時にエンジン11のエンジン回転数をレバー操作時より低下させる指令を出力する場合は、レバー操作時のエンジン回転数Ｎhieに対するレバー中立時のエンジン回転数Ｎcoeの比率を、その時点での作動油用ファン目標回転数Ｎtoに掛け合わせることで、レバー中立時の新ファン目標回転数Ｎtonewを算出する。
【００４７】
同様にして、インテークエア目標温度Ｔtiおよびインテークエア検出温度ＴmiがＰＩ制御器37で処理されて、前記インテークエア用ファン目標回転数Ｎtiが決定され、また、クーラント目標温度Ｔtcおよびクーラント検出温度ＴmcがＰＩ制御器39で処理されて、前記クーラント用ファン目標回転数Ｎtcが決定され、さらに、インテークエア用およびクーラント用の新ファン目標回転数が決定される。
【００４８】
要するに、本ファン回転数制御方法は、図３に示されるように全体的にファン目標回転数Ｎtfを算出するか、または図４に示されるように個々に作動油用ファン目標回転数Ｎtoなどを算出して、このファン目標回転数ＮtfまたはＮtoを、レバー操作時のエンジン回転数Ｎhieに対するレバー中立時のエンジン回転数Ｎcoeの比率（Ｎcoe／Ｎhie）で減少させる制御方法である。
【００４９】
ここで、操作レバー７L，７Rが中立位置で、かつＡＥＣスイッチ36aecによりＡＥＣが作動してエンジン回転数がＡＥＣ回転数に自動低下した状態をＡＥＣステータス・オンとし、また、操作レバー７L，７Rが中立位置で、かつワンタッチローアイドルスイッチ８によりワンタッチローアイドルが作動してエンジン回転数がワンタッチローアイドル回転数に手動低下した状態をワンタッチローアイドルステータス・オンとする。
【００５０】
そして、レバー中立時のエンジン回転数Ｎcoeは、ＡＥＣ回転数またはワンタッチローアイドル回転数としてコントローラ34から指令されたエンジン回転数であり、レバー操作時のエンジン回転数Ｎhieは、アクセルダイヤル36accで設定されたハイアイドルエンジン回転数である。
【００５１】
次に、図示された実施形態の作用を説明する。
【００５２】
図３および図４に示されるように、温度検出センサ27，28，29により検出されたインテークエア、作動油およびクーラントの各被冷却流体の温度情報をもとに、各被冷却流体の検出温度が目標温度に到達するように、比較器51などを含むＰＩ制御器37，38，39、およびリミッタ46などを通じて得られたファン目標回転数Ｎtfにより、冷却ファン17のファン回転数を制御する。
【００５３】
すなわち、インテークエア、作動油およびクーラントのいずれかの被冷却流体の検出温度がそれらの目標温度より高いときは、その温度誤差に応じてファン目標回転数Ｎtfを上昇させて、より強い冷却効果が得られるように、常時または定期的に温度検出センサ27，28，29で検出された温度情報をファン回転数にフィードバックして、回転数センサを用いることなく、ファン回転数を制御できるようにしている。
【００５４】
その際、それぞれの被冷却流体の発熱量が増加した場合、温度検出センサ27，28，29による検出温度が、予め設定された目標温度に到達するには、より高いファン回転数になるようにＰＩ制御器37，38，39が動作する。
【００５５】
例えば、作動油の目標温度が６０℃で、検出温度が６１℃とすると、検出温度が６０℃になるように冷却ファン17のファン回転数が増加し始める。もし、発熱量が僅かであれば、僅かなファン回転数の上昇でも、作動油温は６０℃に復帰するが、もし発熱量が大きければ、僅かなファン回転数の上昇では、作動油温は上昇を続け、それと共にファン回転数も上昇する。やがて、ファン回転数が十分に高くなると、作動油温は下がり始め、目標温度に到達するとファン回転数の増加は止まる。
【００５６】
また、目標温度および発熱量の条件が同じでも、周囲温度が高くなると、冷却ファン17は、同様により高いファン回転数となる。
【００５７】
このように、それぞれの被冷却流体の発熱量と周囲温度に応じてファン回転数の整定する値が異なる。言いかえると、温度毎に決まるファン回転数のマップを持たずに制御している。
【００５８】
総合目標回転数決定器45が｛Σ（被冷却流体ｎのファン目標回転数）２｝１／２により総合目標回転数Ｎttを計算する場合は、どの被冷却流体のファン目標回転数が上昇した場合でも、必ず総合目標回転数Ｎttは増加する。
【００５９】
例えば、インテークエア温度、クーラント温度（冷却水温）および作動油温度から決まるそれぞれの目標回転数が、３００r.p.m.、５００r.p.m.、７００r.p.m.とすると、総合目標回転数Ｎttは９１１r.p.m.となる。ここで、クーラント温度から決まる目標回転数が５００r.p.m.から６００r.p.m.に増加すると、総合目標回転数Ｎttは９７０r.p.m.となる。
【００６０】
仮に、総合目標回転数＝最大値（被冷却流体ｎのファン目標回転数）で総合目標回転数を決定した場合は、クーラント温度から決まる目標回転数が５００r.p.m.の時も６００r.p.m.の時も、総合目標回転数は７００r.p.m.となり、システム全体の発熱量が増加しているにも関わらず、総合目標回転数は変化しない。
【００６１】
また、油圧ショベルなどの車両において、作動油温などが低く、冷却の必要がないときは、ファン用ポンプ13から吐出される流量を電油変換弁18で少なくするように制御することで、冷却ファン17のファン回転数を強制的に下げるが、このとき、ファン用ポンプ13にて費されるエンジン11のファン駆動馬力は低下しており、その分、エンジン11で駆動されるメインポンプ12の出力を上昇させることができ、エンジン11の出力を有効に利用できるとともに、ファン回転数の低下により冷却ファン17による周囲騒音を下げることができる。
【００６２】
次に、ファン回転数制御方法を順を追って説明する。
【００６３】
（１）エンジン11のインテークエア、作動油およびクーラント（冷却水）の温度を、温度検出センサ27，28，29によりそれぞれ検出する。
【００６４】
（２）コントローラ34の内部にそれぞれ設定された各被冷却流体の目標温度と、各々の温度検出センサ27，28，29により検出された各被冷却流体の検出温度との差を、ＰＩ制御器37，38，39の比較器51で計算し、この差にゲイン52，54および積分器55で比率例積分制御をかける。
【００６５】
（３）このＰＩ制御により、それぞれの被冷却流体毎にファン目標回転数Ｎti，Ｎto，Ｎtcが決まり、さらにリミッタ42，43，44を経てファン目標回転数Ｎti´，Ｎto´，Ｎtc´が決まる。
【００６６】
（４）これらの複数のファン目標回転数Ｎti´，Ｎto´，Ｎtc´から総合目標回転数決定器45により一つの総合目標回転数Ｎttを決める。具体的には、
総合目標回転数Ｎtt＝｛Σ（被冷却流体ｎのファン目標回転数）２｝１／２を用いて演算するが、後述するように、これに限定されるものではない。
【００６７】
そして、総合目標回転数Ｎttからリミッタ46を経てファン目標回転数Ｎtfが最終的に決定される。
【００６８】
（５）ファン目標回転数Ｎtfが得られるように、コントローラ34は電油変換弁18を駆動して、ファン用ポンプ13のポンプ吐出量を制御し、ファン用モータ15のモータ回転数を制御し、冷却ファン17のファン回転数を制御する。
【００６９】
（６）各被冷却流体の検出温度がそれぞれの目標温度に到達するように、前記（２）に戻り、フィードバック制御を継続する。
【００７０】
（７）レバー操作時などの、被冷却流体を冷却する冷却ファン17を有する冷却手段30を通過する被冷却流体の流量が多くなるときは、上記のように被冷却流体の検出温度Ｔmi，Ｔmo，Ｔmcが、予め設定された目標温度Ｔti，Ｔto，Ｔtcとなるように冷却手段30の冷却ファン17のファン回転数をファン目標回転数Ｎtfに制御するが、レバー中立時のように被冷却流体が冷却手段30を通過する流量が減少したときは、冷却ファン17のファン回転数を、ファン目標回転数Ｎtfより減少した新ファン目標回転数Ｎtfnewに制御する。
【００７１】
例えば、作動油を油圧アクチュエータに供給するレバー操作時は、油圧回路における作動油の検出温度Ｔmoが予め設定された目標温度Ｔtoとなるように、油圧アクチュエータからの戻り油を冷却ファン17で冷却するオイルクーラ22のファン回転数を作動油用ファン目標回転数Ｎtoに制御し、作動油の油圧アクチュエータへの供給を停止するレバー中立時は、冷却ファン17のファン回転数を、作動油用ファン目標回転数Ｎtoより減少した新ファン目標回転数Ｎtonewに制御する。
【００７２】
このように、レバー中立時に油圧回路のエンジン11のエンジン回転数をレバー操作時より低下させる場合は、レバー操作時のエンジン回転数Ｎhieに対するレバー中立時のエンジン回転数Ｎcoeの比率（Ｎcoe／Ｎhie）を、その時点でのファン目標回転数ＮtfまたはＮtoに掛け合わせることで、レバー中立時の新ファン目標回転数ＮtfnewまたはＮtonewを算出する。
【００７３】
以上のように、このファン回転数制御は、回転数センサなどによりファン回転数を検出してフィードバック制御するものではなく、各被冷却流体の温度検出センサ27〜29により検出された温度をフィードバックして制御するので、ファン回転数の絶対値は重要ではない。
【００７４】
また、それぞれの被冷却流体の発熱量と周囲温度に応じてファン回転数の整定する値が異なり、それぞれの被冷却流体毎にファン目標回転数を持ち、この複数のファン目標回転数に基づき一つの総合目標回転数を決定する演算手法を備えている。
【００７５】
さらに、各被冷却流体の温度が低い時には、ファン回転数を下げるので、必要とするファン駆動馬力が減少し、その分、メインポンプ油圧出力を上昇させることができる。
【００７６】
そして、各被冷却流体の検出温度が目標温度に到達するように制御が働くので、冬期には作動油温や冷却水温の上昇が早くなり、作動油などの温度変化にともなって変動する粘性が早く安定するので、年間を通じて、作動油などの粘性の差による応答性の差が小さくなり、エンジン11もより安定した温度で動作するようになる。
【００７７】
ここで、被冷却流体の検出温度が目標温度に到達するように制御が働くとは、例えば冬期のエンジン始動直後においては、電油変換弁18によりファン用ポンプ13からの吐出流量を０または少量に制御することにより、冷却ファンを停止させたり、または最低限のファン回転数で駆動する場合も含む。
【００７８】
また、冷却手段30を通過する被冷却流体の流量が減少したときは、冷却ファン17のファン回転数を、ファン目標回転数Ｎtfより減少した新ファン目標回転数Ｎtfnewに制御することで、冷却手段30内の流量減少した被冷却流体が急冷されることを防止して、冷却手段30での熱歪の発生を抑制するので、冷却手段30の耐久性が向上する。
【００７９】
例えば、レバー中立時の新ファン目標回転数Ｎtonewが低減され、レバー中立操作で流量減少したオイルクーラ22内の作動油が急冷されることを防止して、オイルクーラ22の熱歪の発生を抑制することで、オイルクーラ22の耐久性が向上する。
【００８０】
その際、レバー中立時は、レバー操作時のエンジン回転数Ｎhieに対するレバー中立時のエンジン回転数Ｎcoeの比率（Ｎcoe／Ｎhie）でファン目標回転数ＮtfまたはＮtoを減少させて、レバー中立時の新ファン目標回転数ＮtfnewまたはＮtonewを算出したので、ファン回転数が必要以上に減少することなく、最適なファン回転数の減少となる。
【００８１】
なお、総合目標回転数決定器45が総合目標回転数Ｎttを決定する演算手法は、既に述べたものに限定されるものではなく、他の演算方法でも可能である。
【００８２】
例えば、重み関数Ｗｎ（０≦Ｗｎ≦１、ΣＷｎ＝１）を用いて、
総合目標回転数Ｎtt＝Σ｛Ｗｎ・（被冷却流体ｎのファン目標回転数）｝としても良い。
【００８３】
また、比例積分制御器（ＰＩ制御器）は、これのみに限定されるものではなく、一般的に用いられる比例積分微分制御器（ＰＩＤ制御器）も含み、このＰＩＤ制御器でも問題なく動作する。
【００８４】
次に、図１に示されたフローチャートを参照しながら、レバー中立時に、オイルクーラ22の熱歪が発生しないように、ファン回転数を減少させるファン回転数制御方法を説明する。なお、図１における丸数字は、ステップ番号を示す。
【００８５】
コントローラ34は、ＡＥＣが作動している状態、またはワンタッチローアイドルスイッチ８がオン操作されたワンタッチローアイドルの状態をステータス・オンとし、レバー中立によりＡＥＣステータス・オンとなったか否かを判断し（ステップ１）、また、レバー中立によりワンタッチローアイドルステータス・オンとなったか否かを判断し（ステップ２）、いずれでもない場合、すなわち操作レバー７L，７Rの少なくとも一方が操作された場合は、ファン目標回転数Ｎtfを電油変換弁18に指令する（ステップ３）。
【００８６】
一方、コントローラ34は、ＡＥＣステータス・オンまたはワンタッチローアイドルステータス・オンを判断すると、ファン回転数リダクション制御を開始し、レバー操作時のハイアイドルエンジン回転数Ｎhieに対するレバー中立時に目標とするエンジン回転数Ｎcoeの比率を、その時点でのファン目標回転数Ｎtfに掛け合わせることで、レバー中立時の新ファン目標回転数Ｎtfnewを算出し、電油変換弁18に指令を出す（ステップ４）。
【００８７】
すなわち、アクセルダイヤル36accによって設定されたハイアイドルエンジン回転数Ｎhieが、レバー中立時に、ＡＥＣステータス・オンまたはワンタッチローアイドルステータス・オンでのエンジン回転数Ｎcoeに低下するが、このハイアイドルエンジン回転数Ｎhieに対するエンジン回転数Ｎcoeの比率に応じて、ファン目標回転数Ｎtfを新ファン目標回転数Ｎtfnewに減少させる。
【００８８】
このように、レバー中立時のファン目標回転数Ｎtfを新ファン目標回転数Ｎtfnewに減少させることで、オイルクーラ22内の作動油が急冷されるのを防止でき、オイルクーラ22の熱歪の発生を防止できる。
【００８９】
また、このように、ＡＥＣステータス・オンまたはワンタッチローアイドルステータス・オンでのエンジン回転数の比率（Ｎcoe／Ｎhie）に応じてファン回転数を減少させることにより、必要以上のファン回転数の減少を防止でき、最適なファン回転数の減少を図れる。
【００９０】
このファン回転数制御方法により、次のような効果が得られる。
【００９１】
レバー中立時のオイルクーラ22の熱歪が発生しない。そのため、オイルクーラ22の耐久性が向上する。
【００９２】
ファン回転数が減少するので、ファン回転による燃料消費が低減され、燃費が向上する。
【００９３】
レバー中立時に、ファン回転数が減少することにより、ファン回転による騒音が低減される。オペレータにとってファン音が耳障りにならない。
【００９４】
レバー中立時に、ファン回転数が減少することにより、ファン回転による振動が低減され、コンポーネントの耐久性が向上する。
【実施例１】
【００９５】
次に、具体的な数値を用いて説明すると、例えば、８５トンクラスの大型油圧ショベルにおいて、レバー中立時にＡＥＣ第２段の状態となる場合は、コントローラ34からの指令エンジン回転数は1300rpmであり、ハイアイドルエンジン回転数は1980rpmとなるので、新ファン目標回転数Ｎtfnewは、その時点での温度に応じたファン目標回転数Ｎtfが1300／1980の比率で減少され、この新ファン目標回転数Ｎtfnewに基づいてファン回転数が制御される。
【００９６】
また、レバー中立時にＡＥＣ第１段の状態となる場合は、アクセルダイヤル36accの各設定エンジン回転数から100rpm下げた値が、コントローラ34からの指令エンジン回転数となり、この指令エンジン回転数のハイアイドルエンジン回転数に対する比率で、その時点での温度に応じたファン目標回転数Ｎtfを減少させることで新ファン目標回転数Ｎtfnewを算出し、この新ファン目標回転数Ｎtfnewに基づいてファン回転数が制御される。
【００９７】
さらに、ワンタッチローアイドル状態では、ハイアイドルエンジン回転数の1980rpmがローアイドルエンジン回転数の1100rpmまで低下するので、新ファン目標回転数Ｎtfnewは、その時点での温度に応じたファン目標回転数Ｎtfが1100／1980に減少され、この新ファン目標回転数Ｎtfnewに基づいてファン回転数が制御される。
【図面の簡単な説明】
【００９８】
【図１】本発明にかかるファン回転数制御方法の一実施の形態を示すフローチャートである。
【図２】同上制御方法を実施する制御装置のブロック図である。
【図３】同上制御方法のアルゴリズムを示すブロック図である。
【図４】同上制御方法に用いられるコントローラのＰＩ制御器の構成を示すブロック図である。
【図５】油圧ショベルを示す側面図である。
【図６】同上ショベルのキャブ内を示す斜視図である。
【符号の説明】
【００９９】
５bmc，５amc，５bkc    油圧アクチュエータとしてのブーム用油圧シリンダ、アーム用油圧シリンダ、バケット用油圧シリンダ
11    ポンプ駆動用エンジン
17    冷却ファン
22    オイルクーラ
30    冷却手段
Ｔmi，Ｔmo，Ｔmc    検出温度
Ｔti，Ｔto，Ｔtc    目標温度
Ｎtf    ファン目標回転数
Ｎtfnew    新ファン目標回転数
Ｎcoe    レバー中立時のエンジン回転数
Ｎhie    レバー操作時のエンジン回転数
【図１】
2005083344.tif 000003
【図２】
2005083344.tif 000004
【図３】
2005083344.tif 000005
【図４】
2005083344.tif 000006
【図５】
2005083344.tif 000007
【図６】
2005083344.tif 000008